(57)【要約】【課題】巻管受容部３及びスピンドルシャフト４を備えた回転駆動可能なスピンドル上部２と、上部軸受２２及び下部軸受２３を備えたスピンドルシャフト４と、エアギャップ６１によって互いに分離されたステータ及びロータを有する駆動する電動モータと、電動モータを収容するモータハウジング３１とを有する、繊維機械のスピンドルユニット１を改良して、構造が簡単で経済的に製造可能なものを提供する。【解決手段】ステータ３２がモータハウジング１３に、ロータ６が、スピンドル上部２の結合部材５に、それぞれ相対回動不能に結合され、スピンドル軸受ハウジング２１の下部区分が、これに軸受されたスピンドルシャフト４と共にフットハウジング４１内に嵌め込まれており、モータハウジング３１が巻管受容部３とフットハウジング４１との間に配置されていて、フットハウジング４１と相対回動不能に結合されている。【選択図】図１
2009249806.tif 000002
【特許請求の範囲】
【請求項１】
繊維機械のスピンドルユニット（１）であって、
巻管受容部（３）及びスピンドルシャフト（４）を備えた回転駆動可能なスピンドル上部（２）と、
上部軸受（２２）及び下部軸受（２３）を備えた、前記スピンドルシャフト（４）に回転可能に支承されたスピンドルシャフト（４）と、
エアギャップ（６１）によって互いに分離して配置されたステータ及びロータを有する、スピンドル上部（２）を駆動する電動モータと、
電動モータを収容するためのモータハウジング（３１）と、
を有している形式のものにおいて、
前記ステータ（３２）がモータハウジング（１３）に、また前記ロータ（６）が、スピンドル上部（２）に設けられた結合部材（５）に、それぞれ相対回動不能に結合されており、スピンドル軸受ハウジング（２１）の下部区分が、この下部区分に軸受されたスピンドルシャフト（４）と共にフットハウジング（４１）内に嵌め込まれており、モータハウジング（３１）が巻管受容部（３）とフットハウジング（４１）との間に配置されていて、フットハウジング（４１）と相対回動不能に結合されていることを特徴とする、独立したスピンドル駆動装置を備えた精紡機。
【請求項２】
前記スピンドル軸受ハウジング（２１）が前記フットハウジング（４１）に、及び／又は前記モータハウジング（３１）に相対回動不能に結合されている、請求項１記載のスピンドルユニット。
【請求項３】
前記モータハウジング（３１）と、回転可能に支承された前記スピンドル上部（２）との間に、シール手段（６７）、殊に単数又は複数の多板リングが配置されている、請求項１又は２記載のスピンドルユニット。
【請求項４】
前記スピンドルユニットが、スピンドル上部（２）とスピンドル軸受ハウジング（２１）とモータハウジング（３１）とフットハウジング（４１）とから成る４つの組立ユニットより構成されている、請求項１から３までのいずれか１項記載のスピンドルユニット。
【請求項５】
前記ロータ（６）が、スピンドル上部（２）の結合部材（５）に取り付けられた、中空円筒形の磁気体であって、該磁気体が前記スピンドルシャフト（２）に被さっていて、スピンドルシャフト（４）とロータ（６）との間の領域に環状のエアギャップ（６２）が形成されている、請求項１から４までのいずれか１項記載のスピンドルユニット。
【請求項６】
前記スピンドル軸受ハウジング（２１）の上端部区分が、中空円筒形のロータ（６）とスピンドルシャフト（４）との間のエアギャップ（６２）内に挿入されている、請求項５記載のスピンドルユニット。
【請求項７】
前記上部軸受（２２）が、スピンドル軸受ハウジング（２１）内で、ロータ（６）とスピンドルシャフト（４）との間のエアギャップ（６２）若しくはロータ（６）の高さ位置に配置されている、請求項６記載のスピンドルユニット。
【請求項８】
前記スピンドル軸受ハウジング（２１）が固定手段（６８，７３）を有しており、該固定手段によって、スピンドル上部（２）が運転中にスピンドル軸受ハウジング（２１）から軸方向で上方に滑動しないようになっている、請求項１から７までのいずれか１項記載のスピンドルユニット。
【請求項９】
前記モータハウジング（３１）と前記フットハウジング（４１）との間に単数又は複数の通路が設けられており、これらの通路を通って、エネルギ供給ライン及び／又は通信ライン（６８）がステータ・ロータユニットからフットハウジング（４１）内にガイドされている、請求項１から８までのいずれか１項記載のスピンドルユニット。
【請求項１０】
前記フットハウジング（４１）内に、電動モータを制御し、かつ／または電動モータに電気エネルギを供給するための電子構造群が配置されている、請求項１から９までのいずれか１項記載のスピンドルユニット。
【請求項１１】
前記フットハウジング（４１）及び／又はスピンドル軸受ハウジング（２１）が、フットハウジング（４１）に対してスピンドル軸受ハウジング（２１）を水平方向及び／又は垂直方向で整列させ、殊にセンタリングさせるための手段を有している、請求項１から１０までのいずれか１項記載のスピンドルユニット。
【請求項１２】
保持手段が設けられていて、該保持手段によって、前記スピンドル軸受ハウジング（２１）がモータハウジングをフットハウジング（４１）に固定する際に、フットハウジング（４１）の内側及び／又は外側に、相対回動不能に固定可能である、請求項１から１１までのいずれか１項記載のスピンドルユニット。
【請求項１３】
前記保持手段が、モータハウジング（３１）に、フットハウジング（４１）に及び／又はスピンドル軸受ハウジング（２１）に設けられている、請求項１２記載のスピンドルユニット。
【請求項１４】
前記スピンドルユニット（１）が直接的に、又はフットハウジング（４１）を介して間接的にスピンドルバンク（６５）に接して又はスピンドルバンク（６５）上に固定可能である、請求項１から１３までのいずれか１項記載のスピンドルユニット。
【請求項１５】
前記モータハウジング（３１）が、解除可能な機械的な結合部、有利にはねじ結合部を介してフットハウジング（４１）に結合されている、請求項１から１４までのいずれか１項記載のスピンドルユニット。
【請求項１６】
前記スピンドル軸受ハウジング（２１）が、モータハウジング（３１）に相対回動不能に、かつ堅固に結合されており、モータハウジング（３１）がゴム弾性的及び／又はばね弾性的な結合部を介してフットハウジング（４１）に相対回動不能に結合されており、前記弾性的な結合部は、スピンドル上部（２）とスピンドル軸受ハウジング（２１）とモータハウジング（１３）とから成る構造群の、フットハウジング（４１）に対する、円錐形面に沿って回転する共通の正確な運動を許容し、かつ円錐形先端を形成する正確な回転中心点が前記弾性的な結合部の高さ位置にある、請求項１から１４までのいずれか１項記載のスピンドルユニット。
【請求項１７】
前記スピンドル軸受ハウジング（２１）が、ゴム弾性的及び／又はばね弾性的な結合部を介してモータハウジング（３１）に相対回動不能に結合されており、前記弾性的な結合部は、モータハウジング及びフットハウジングに対するスピンドル上部及びスピンドル軸受ハウジングの、円錐形面に沿った共通の正確な運動を許容し、かつ円錐形先端を形成する正確な回転中心点が前記弾性的な結合部の高さ位置にある、請求項１から１４までのいずれか１項記載のスピンドルユニット。
【請求項１８】
ゴム弾性的及び／又はばね弾性的な結合部及び、この結合部と共に円錐形先端を形成する歳差運動の回転中心点が、ステータ・ロータユニットの高さ位置にある、請求項１６又は１７記載のスピンドルユニット。
【請求項１９】
前記ロータ（６）の磁気体は、電磁場の磁力線の磁束帰路が磁気体内に位置するように、構成されている、請求項１から１８までのいずれか１項記載のスピンドルユニット。
【請求項２０】
前記ロータ（６）の磁気体が一体的に構成された中空円筒形であって、前記磁気体が、円筒形軸線に対して直交する周方向で、切り替わる極性を有する複数のセクタに分割されている、請求項１から１９までのいずれか１項記載のスピンドルユニット。
【請求項２１】
請求項１から２０までのいずれか１項記載の単数又は複数のスピンドルユニットを備えていることを特徴とする、紡糸機、撚糸機又は紡糸・撚糸機。
【請求項２２】
前記スピンドルユニット（１）が、直接的に、又はフットハウジング（４１）を介して間接的にスピンドルバンク（６５）に接して又はスピンドルバンク（６５）上に固定されている、請求項２１記載の紡糸機、撚糸機又は紡糸・撚糸機。
【発明の詳細な説明】
【技術分野】
【０００１】
本発明は、繊維機械のスピンドルユニットであって、
巻管受容部及びスピンドルシャフトを備えた回転駆動可能なスピンドル上部と、
上部軸受及び下部軸受を備えた、前記スピンドルシャフトに回転可能に支承されたスピンドルシャフトと、
エアギャップによって互いに分離して配置されたステータ及びロータを有する、スピンドル上部を駆動する電動モータと、
電動モータを収容するためのモータハウジングと、
を有している形式のものに関する。
【０００２】
本発明はさらに、独立したスピンドル駆動装置を備えた、紡糸機、撚糸機又は紡糸・撚糸機に関する。
【背景技術】
【０００３】
ベルト駆動装置の代わりに独立したスピンドル駆動装置を備えたリング精紡機は、今日では実際に種々異なる理由により従来公知のベルト駆動装置に対してまだ一般的ではないが、既に公知である。
【０００４】
従ってこの分野における、特に駆動に関する考え方又は機械フレーム（つまりスピンドルバンク）におけるスピンドル装置の固定に関する考え方についての多くの刊行物が存在する。
【０００５】
しかしながら、独立したスピンドル駆動装置を用いる多くの公知の考え方は、種々の欠点を有しており、従ってこれまで経済的な成功は得られていない。多くの場合、独立したスピンドル駆動装置は、経済的に高価過ぎ、また構造が複雑になり過ぎることが証明されている。駆動ユニットの小型化は進歩しているが、駆動装置の寸法はしばしば大きくなり過ぎることが分かっている。しかしながら、回転するスピンドルによる空気移動を減少させるために、特に糸供給部の下でスピンドル装置を包囲するカプセルを有しているスピンドル装置において、スピンドル駆動ユニットの周囲の大きさは重要である。このようなカプセルは、その直径が、完全に巻き上げられたコップの直径よりも少しだけ大きい程度でなければならない。最も下の転換点で糸供給が行われる時に、カプセルが駆動ユニットに被さるので、駆動ユニットは、カプセルの内径よりも小さい直径を有していなければならない。
【発明の概要】
【発明が解決しようとする課題】
【０００６】
本発明の課題は、できるだけ簡単な構造を有し、かつ経済的に製造可能であり、しかも組立が簡単なスピンドルユニットを提供することである。さらに、スピンドルユニットは長期の使用に耐え得るものでなければならない。
【課題を解決するための手段】
【０００７】
この課題を解決した本発明によれば、ステータがモータハウジングに、また前記ロータが、スピンドル上部に設けられた結合部材に、それぞれ相対回動不能に結合されており、スピンドル軸受ハウジングの下部区分が、この下部区分に軸受されたスピンドルシャフトと共にフットハウジング内に嵌め込まれており、モータハウジングが巻管受容部とフットハウジングとの間に配置されていて、フットハウジングと相対回動不能に結合されている。
【発明の効果】
【０００８】
スピンドルユニットは、有利な形式で４つの組立ユニットより構成されている。これらの組立ユニットは、
スピンドル上部と、
スピンドル軸受ハウジングと、
モータハウジングと、
フットハウジングと、
から成っている。
【０００９】
スピンドル軸受ハウジングは、解除可能な機械的な結合部を介してフットハウジング又はモータハウジングと相対回動不能に（つまり一緒に回転するように）結合されている。スピンドル軸受ハウジングは、フットハウジングとも、またモータハウジングとも上記形式で結合され得る。
【００１０】
さらに、スピンドル軸受ハウジング及びひいてはスピンドル上部をフットハウジングに対して水平方向で（センタリング）及び／又は垂直方向で整列させるための手段が、フットハウジング及び／又はスピンドル軸受ハウジングに設けられている。これらの手段は、フットハウジング内でスピンドル軸受ハウジングを同心的に整列させる、特にセンタリング手段であり、またスピンドル軸受ハウジングを軸方向の所定の高さに位置決めする手段である。スピンドル軸受ハウジングの整列は、例えば、スピンドル軸受ハウジングのための載設位置、ストッパ位置又は係止位置を予め設定する機械的な手段を介して行われる。フットハウジングとスピンドル軸受ハウジングとの間に、有利な形式で環状の中間室が形成されており、該中間室は、例えばライン接続のためのスペースを提供し、また場合によってスピンドルの補償運動のためのスペースを提供する。
【００１１】
スピンドル軸受ハウジングは、固有の接続手段なしで、整列手段だけを介して、及びモータハウジングを固定することによって、フットハウジングに相対回動不能及び堅固に故愛知される。
【００１２】
フットハウジング及び／又はモータハウジングは、特に円形横断面を有する、有利な形式で中空円筒形体として構成されている。フットハウジングは、その下部区分が鉢状の受容部を形成していて、有利な形式でハウジング底部によって閉鎖されている。
【００１３】
またモータハウジングは相対回動不能に、特にフットハウジングに堅固に結合されていて、スピンドル軸受ハウジングが弾性的な結合部を介して相対回動不能に、しかしながら弾性的にモータハウジングに又はフットハウジングに結合されていることも考えられる。この場合、前記結合部は、スピンドル上部及びスピンドル軸受ハウジングの、モータハウジング及びフットハウジングに対する、円錐形面に沿って回転する共通の正確な運動を許容し、かつ円錐形先端を形成する正確な回転中心点が前記弾性的な結合部の高さ位置にあるように、構成されている。
【００１４】
この構成の実施態様によれば、弾性的な結合部及び、この結合部と共に、歳差運動（Praezission）の回転中心点が、ステータ・ロータユニットの高さ位置にある。
【００１５】
弾性的な固定手段は、例えばゴム及び／又はばね弾性的な結合部材である。固定手段は、任意の復元機能を有している。結合部材は、例えばゴム若しくはエラストマー及び／又は機械的なばね部材を有している。ゴム弾性的な部材とばね弾性的な部材との組み合わせも考えられる。これらの部材は、有利な形式で環状に構成されていてよく、またリングセクタ状（扇形）に構成されていてもよい。
【００１６】
相対回動不能に固定されたモータハウジングと、回転可能に支承されたスピンドル上部との間に、有利な形式でシール手段、特に単数又は複数の多板リングが配置されている。これらの多板リングは、モータハウジング内に汚れ及び湿気が侵入するのを阻止する。
【００１７】
ロータは、スピンドル上部に直接取り付けられた、又は接続部材を介して取り付けられた、中空円筒形の磁気体であって、この磁気体は、スピンドルシャフトに被さっており、スピンドルシャフトとロータとの間の領域に、有利な形式で環状の第１のエアギャップが形成されている。ロータは有利な形式で円環状の形状を有している。接続部材は、スピンドル上部と一体的な部分であるか、又はスピンドルジョブに固定されていてよい。ロータは、形状結合（形状による束縛）及び／又は摩擦結合（摩擦による束縛）を介して、又は素材結合（例えば接着結合）を介して、スピンドル上部若しくは接続部材に結合されている。
【００１８】
スピンドルハウジングは、スピンドルシャフトを受容する上端部区分が、中空円筒形状のロータとスピンドルシャフトとの間の第１のエアギャップ内に挿入されている。スピンドル軸受ハウジングとスピンドル上部若しくはロータとの間で、ロータの領域内の側方に、環状の狭いエアギャプが形成されている。
【００１９】
スピンドル軸受ハウジングは、その上端部区分に固定手段を有しており、この固定手段は、スピンドル上部が運転中に、及び特にドッフィング（玉揚げ）中にそのスピンドルシャフトは、スピンドル軸受ハウジングから軸方向で上方に滑り出さないように、保証する。固定手段は、スピンドル軸受ハウジングに環状の弾性体を有していてよい。この弾性体は、スピンドル軸受ハウジングを円筒形の中空室内に挿入する際に、スピンドル上部に当接する、有利には環状の突起を介して押し込まれる。
【００２０】
スピンドル軸受ハウジングの上部軸受は、中空円筒形のロータとスピンドルシャフトとの間のエアギャップ内に配置されている。上部軸受は有利な形式で転がり軸受である。下部軸受は同様に転がり軸受であって、この場合、組み合わせ型のラジアル・アキシャル軸受である。下部軸受及び上部軸受は、同型式の又は異なる型式の転がり軸受であってよい。
【００２１】
単数又は複数の転がり軸受は、玉軸受、二重玉軸受、針状ころ軸受、球面ころ軸受又は円錐軸受であってよい。さらにまた、単数又は複数の転がり軸受は、非導電性の転動体を有するハイブリッド軸受であってよい。軸受は、有利には耐用寿命に亘って潤滑を維持するオイル循環潤滑又はグリース潤滑を有していてよい。
【００２２】
モータハウジングとフットハウジングとの間に、単数又は複数の通路が設けられており、これらの通路を通って、エネルギ供給ライン及び／又は通信ラインをステータ・ロータユニットからフットハウジング内にガイドされる。
【００２３】
スピンドルユニットは有利な形式で、直接的に又はフットハウジングを介して間接的に、スピンドルバンクに接して又はスピンドルバンク上に固定可能である。フットハウジングは、ハウジングを底部を備えていて、上方に向かって開放する鉢状の受容部を形成している。
【００２４】
フットハウジング内に、電動モータを制御し、かつ／または電動モータに電気エネルギを供給するための電子構造群が配置されている。
【００２５】
中空円筒形のロータの磁気体は、有利な形式で、電磁場の磁力線の磁束帰路が磁気体内に位置するように、構成されている。ロータを形成する永久磁石は、プラスチック結合された磁石であってよい。この磁石においては、例えば粉末状の磁気材料がプラスチックに混合されている。プラスチックは、担体として及び磁気材料の結合剤として用いられる。永久磁石は、フェライト又は金属合金より成っている。
【００２６】
有利な形式で、磁気体は一体的に構成されており、この場合、磁気体は、その軸線に対して直交する周方向で、切り替わる極性を有する複数のセクタに分割されている。
【００２７】
電動モータは、ブラシレスの直流モータ（ＢＬＤＣとも称呼される）である。ステータは、ロータの周囲に環状に配置された複数の磁気コイルより成っている。モータは、例えば三相に構成されている。ＢＬＣＤは軸受センサを有しており、この軸受センサは、ロータの位置を検出する。位置検出は、磁気式の位置センサ、例えばホール効果センサによって行われる。しかしながら、位置規定を電気式又は光学式のセンサを介して行ってもよい。
【００２８】
スピンドル装置は、回転するスピンドルによる空気移動（Lufttransport）を減少させるために、有利にはカプセルを有しており、このカプセルは、実際のコップへの糸供給部の下にそれぞれスピンドル装置を有している。カプセルは、リング精紡機においては有利には、リングバンクの下側にあって、ファンネル紡績機（Trichterspinnmaschine）においてはスピンドルバンクの下側に固定されている。カプセルは、円環状に又は円錐形に、下方に向かって次第に大きくなる直径を有するように構成されている。
【００２９】
本発明によるスピンドルユニットは、単数又は複数の紡績箇所を有する、紡糸機、撚糸機又は紡糸・撚糸機であってよい。スピンドルユニットは、有利な形式で直接的に又は、フットハウジングを介して間接的に、スピンドルバンクに接して又はスピンドルバンク上に固定されている。
【図面の簡単な説明】
【００３０】
【図１】本発明によるスピンドルユニットの横断面図である。
【図２】本発明によるスピンドルユニットの側面図である。
【発明を実施するための形態】
【００３１】
本発明を以下に図１及び図２に示した実施例を用いて説明する。
【００３２】
図１はリング精紡機の本発明によるスピンドルユニット１の実施例の横断面図である。リング精紡機はリングバンク６９を有しており、該リングバンク６９は、スピニングリング６９と、このスピニングリング６９に沿って循環運動するリングトラベラとを備えている。スピンドルユニット１は、スピンドル上部２と、スピンドル軸受ハウジング２１と、モータハウジング３１と、フットハウジング４１とを有している。スピンドル上部２は、巻管を受容するための巻管受容部３を有しており、この巻管に糸体（図示の実施例ではコップ７０）が形成される。スピンドル上部２はさらにスピンドルシャフト４を有しており、該スピンドルシャフト４は、スピンドル軸受ハウジング２１内で、ネック軸受２２（上部軸受）及びフット軸受（下部軸受）を介して回転可能に支承されている。フット軸受は、組み合わせ型のアキシャル・ラジアル軸受である。これは、例えば円錐軸受であってよい（図示せず）。
【００３３】
スピンドル上部２にはさらに、スピンドルシャフト４を巡って同心的に配置された環状の結合部材５が取り付けられている。結合部材５は、スピンドルシャフト４の上端部区分に被さっている。選択的な実施例では、結合部材５が鉢状に構成されていて、比較的薄い壁部分を有するスピンドルシャフトに被さってこれを同心的に整列させるようになっていてもよい。鉢状の結合部材５は、比較的厚い壁厚の底部（図示せず）を有していて、この底部で以て結合部材５はスピンドル上部２に相対回動不能に結合されている。結合部材５は、スピンドル上部の一体的な構成部分であってもよい。
【００３４】
結合部材５の円環状の外周面に、電動モータのリング状若しくは中空円筒形のロータ６が取り付けられている。
【００３５】
スピンドル軸受ハウジング２１は、その上端部区分が、結合部材５とスピンドルシャフト４との間の環状（リング状）の開口部内に係合する。スピンドル軸受ハウジング２１は結合部材５に向かって環状のエアギャプ６２を形成しており、それによって上部部分２は、環状のエアギャップ６２の領域内でスピンドル軸受ハウジング２１に対して自由に回転可能である。
【００３６】
スピンドル軸受ハウジング２は、その上端部区分に、フレキシブルなプラスチックより成る固定リング６９を有している。この固定リング６９は、環状の開口部の周面に設けられた環状の突起７３を介して押し付けられている。このような形式で、スピンドル駆動中又はドッフィング（Doffen）中にスピンドル上部２がスピンドル軸受ハウジング２１から滑り出すことは阻止される。
【００３７】
スピンドル軸受ハウジング２１のネック軸受２２は、スピンドル軸受ハウジング２１を組み付けた状態で、ロータ６の高さ位置、特にロータ６の軸方向中央位置にある。
【００３８】
エアギャップ６１を維持して、ロータ６はステータ３２によって包囲されており、ステータ３２は、モータハウジング３１の内周面に固定されている。ステータ３２は、ロータ３６を巡って環状に配置された複数の巻管（図示せず）を有している。
【００３９】
モータハウジング３１は、フットハウジング４１に形成された雄ねじ山１１を介してフットハウジング４１に相対回動不能にねじ固定されている。スピンドル軸受ハウジング２は、フットハウジング４１に対して同心的に整列されていて、フットハウジング４１にねじ固定されたモータハウジング３１によって、水平位置でも垂直位置でも相対回不能に固定される。相対回動不能に固定されたモータハウジング３１と回転可能に支承されたスピンドル上部２との間で、スピンドル上部２の切欠内に多板リング６７が配置されており、この多板リング６７は、モータハウジング内に汚れ及び湿気が侵入するのを阻止する。
【００４０】
フットハウジング４１内に電子構造群４２が配置されており、この電子構造群４２を介して電動モータ制御される。電子構造群４２は、電圧変成器も有している。モータハウジング３１とフットハウジング４１との間に通路が設けられており、該通路を通って、エネルギ供給のための、及びステータ・ロータユニットのデータを電子構造群４２に送るためのライン６３がガイドされている。
【００４１】
リングバンク６４の下側に、精紡中にコップによる空気移動を減少させるために、固定手段７１を介してカプセル１９が配置されており、このカプセル１９は、リングバンク６４の下に位置する、スピンドルの部分を包囲する。カプセル１９は、モータハウジング３１及びフットハウジング４１よりも相応に大きい直径を有している。カプセル１９とスピンドルユニット１との間に有利な形式でエアギャップが形成されている。カプセル１９は、漏斗状の端部区分を有している。
【００４２】
スピンドルユニット１は、４つの下部構造群より成る予備組立された構造群であって、この構造群は、
スピンドルシャフト４と巻管受容部３と結合部材５とロータとを備えたスピンドル上部２と、
ネック軸受２２とフット軸受２３とを備えたスピンドル軸受ハウジングと、
ステータ３２を備えたモータハウジング３１と、
電子構造分４２を備えたフットハウジング４１と、
を有している。
【００４３】
４つの下部構造群は、組み立てた状態で、閉じられたコンパクトなスピンドルユニット１を形成しており、このコンパクトなスピンドルユニット１は、精紡機に固定されている。このためにフットハウジング４１は、相応の固定手段７２を介してスピンドルバンク６５に固定される。
【符号の説明】
【００４４】
１  スピンドルユニット、  ２  スピンドル上部、  ３  巻管受容部、  ４  スピンドルシャフト、  ５  結合部材、  ６  ロータ、  １９  カプセル、  ２１  スピンドル軸受ハウジング、  ２２  ネック軸受（上部軸受）、  ２３  フット軸受（下部軸受）、  ３１  モータハウジング、  ３２  ステータ、  ４１  フットハウジング、  ４２  電子構造群、  ６１  エアギャプ、  ６２  環状のエアギャプ、  ６３  ライン、  ６４  リングバンク、  ６５  スピンドル台、  ６７  多板リング、  ６９  スピニングリング、  ６９′  固定リング、  ７０  コップ、  ７１  固定部材、  ７３  突起
【図１】
2009249806.tif 000003
【図２】
2009249806.tif 000004